(57)【要約】【課題】直交変調器および直交復調器を備える無線通信装置において、最小限の機能の追加で直交変調時と直交復調時に発生するイメージ成分をそれぞれ独立に検出する。【解決手段】送受信でローカル信号周波数をずらし、その差分と装置の補正に使用する試験信号の周波数を適切に組み合わせる。実装する試験信号発生回路より、Ｉ成分とＱ成分が同振幅で９０度位相のずれた正弦波を出力し、直交変調器にて送信ローカル信号で直交変調を行う。その出力を受信系に折り返して直交復調器に入力し、受信ローカル信号で直交復調することにより、試験信号、送受信イメージ成分を異なる周波数成分として復調する。そして、復調後の信号からＮ点−ＦＦＴで送信イメージ成分と受信イメージ成分を検出する。また、その測定結果から導出した補正係数を、信号に乗算する等の補正処理によりＩＱインバランスを補正する。【選択図】図１
2013090003.tif 000002
【特許請求の範囲】
【請求項１】
送信ベースバンド信号を変調して出力し、入力される受信信号を復調する無線通信装置において試験信号のイメージ成分を分離して検出する前記無線通信装置であって、
入力される試験信号及び送信ベースバンド信号を、送信ローカル信号を用いて変調し、変調信号を出力する直交変調器と
該変調信号及び受信信号を、送信ローカル信号を用いて復調し、復調信号を出力する直交復調器と
試験信号を出力する試験信号出力部と、
前記直交変調器に送信ローカル信号を出力する送信ローカル信号発生部と、
前記直交変調器に受信ローカル信号を出力する受信ローカル信号発生部と、
前記直交変調器からの変調信号を外部に出力するか、自装置内の前記直交復調器に入力するかを切り替える折り返し部と、
復調された試験信号の所定の周波数成分を検出する検出部と
を備え、
前記試験信号出力部から出力される試験信号の周波数が、自無線通信装置のサンプリング周波数Ｆｓに対してＦｓ／ｍ（ｍは整数）に設定され、
前記受信ローカル信号発生部から出力される受信ローカル信号の周波数が、前記送信ローカル信号発生部から出力される送信ローカル信号の周波数ωＬＯに対して、ωＬＯ−Ｆｓ／ｎ（ｎは整数）に設定され、
前記整数ｍ及びｎは、以下の条件式を満たす値に設定される前記無線通信装置。
【数１】
2013090003.tif 000033
【請求項２】
前記検出部は、少なくとも以下の各周波数の信号を検出して試験信号の送信イメージ成分及び試験信号の受信イメージ成分を検出する請求項１に記載の無線通信装置。
【数２】
2013090003.tif 000034
【請求項３】
前記検出部は、Ｎ点−ＦＦＴ回路（Ｎは自然数）である請求項２に記載の無線通信装置。
【請求項４】
前記試験信号出力部から出力される試験信号の周波数が、自無線通信装置のサンプリング周波数Ｆｓに対してＦｓ／４に設定され、
前記受信ローカル信号発生部から出力される受信ローカル信号の周波数が、前記送信ローカル信号発生部から出力される送信ローカル信号の周波数ωＬＯに対して、ωＬＯ−Ｆｓ／８に設定されることを特徴とする請求項１に記載の無線通信装置。
【請求項５】
試験信号及び送信ベースバンド信号の利得及び／又は位相を補正する送信信号補正回路と、
前記直交復調器で復調された復調信号の利得及び／又は位相を補正する受信信号補正回路と
をさらに備え、
前記送信信号補正回路及び受信信号補正回路は、前記検出部で検出された試験信号の送信イメージ成分、及び、試験信号の受信イメージ成分に基づき、各イメージ成分が予め定められた閾値より小さくなるように信号の利得及び／又は位相を補正する請求項１に記載の無線通信装置。
【請求項６】
前記試験信号は、送信ベースバンド信号及び復調信号はそれぞれ、Ｉ成分とＱ成分を有するＩＱ信号であり、
前記送信信号補正回路及び前記受信信号補正回路はそれぞれ、
入力される信号のＩ成分又はＱ成分のいずれかに、利得補正係数を乗じる利得補正部と、
入力される信号のＩ成分及びＱ成分の一方を分岐し、分岐された信号に位相補正係数を乗じて、信号のＩ成分及びＱ成分の他方に加算する位相補正部と、
前記検出部で検出された試験信号の送信イメージ成分、及び、試験信号の受信イメージ成分を監視しながら、前記利得補正係数及び前記位相補正係数を調整して、各イメージ成分が予め定められた閾値より小さくなるようにする補正係数導出部と
を有する請求項５に記載の無線通信装置。
【請求項７】
前記直交変調器の第１オフセット電圧と、前記直交復調器の第２オフセット電圧とを調整するオフセット電圧調整部
をさらに備え、
前記オフセット電圧調整部は、前記直交変調器への試験信号及び送信ベースバンド信号の入力を止め、前記直交変調器の出力が前記直交復調器へ入力されるように接続した状態で、前記検出部により検出される送信ローカルリーク信号及び受信ローカルリーク信号に基づき、各ローカルリーク信号が小さくなるように、第１及び第２オフセット電圧を制御する請求項１に記載の無線通信装置。
【請求項８】
前記検出部は、前記状態で前記直交復調器から出力される復調信号から、送信ローカル信号の周波数と受信ローカル信号の周波数との差である周波数成分を検出することにより送信ローカルリーク信号を検出し、直流成分を検出することにより受信ローカルリーク信号を検出する請求項７に記載の無線通信装置。
【請求項９】
送信ベースバンド信号を直交変調器で変調して出力し、入力される受信信号を直交復調器で復調する装置において、信号経路のＩＱインバランスによる試験信号のイメージ成分を分離して検出するイメージ成分分離方法であって、
試験信号の周波数が、装置のサンプリング周波数Ｆｓに対してＦｓ／ｍ（ｍは整数）に設定され、
復調のための受信ローカル信号の周波数が、変調のための送信ローカル信号の周波数ωＬＯに対して、ωＬＯ−Ｆｓ／ｎ（ｎは整数）に設定され、
直交変調器が、試験信号を、送信ローカル信号を用いて変調して変調信号を出力し、
該変調信号を直交復調器に入力し、
直交復調器が、入力される変調信号を、送信ローカル信号を用いて復調して復調信号を出力し、
復調信号の所定の周波数成分を検出することで、試験信号の送信イメージ成分、及び、試験信号の受信イメージ成分を検出し、
前記整数ｍ及びｎは、以下の条件式を満たす値に設定される前記イメージ成分分離方法。
【数３】
2013090003.tif 000035
【請求項１０】
送信ベースバンド信号を直交変調器で変調して出力し、入力される受信信号を直交復調器で復調する装置において、信号経路のＩＱインバランスによる試験信号のイメージ成分を分離して検出し、該ＩＱインバランスを補正するインバランス補正方法であって、
試験信号の周波数が、装置のサンプリング周波数Ｆｓに対してＦｓ／ｍ（ｍは整数）に設定され、
復調のための受信ローカル信号の周波数が、変調のための送信ローカル信号の周波数ωＬＯに対して、ωＬＯ−Ｆｓ／ｎ（ｎは整数）に設定され、
直交変調器が、試験信号を、送信ローカル信号を用いて変調して変調信号を出力し、
該変調信号を直交復調器に入力し、
直交復調器が、入力される変調信号を、送信ローカル信号を用いて復調して復調信号を出力し、
復調信号の所定の周波数成分を検出することで、試験信号の送信イメージ成分、及び、試験信号の受信イメージ成分を検出し、
検出された試験信号の送信イメージ成分、及び、試験信号による受信イメージ成分に基づき、各イメージ成分が予め定められた閾値より小さくなるように、直交変調器に入力される信号及び直交復調器から出力される信号の利得及び／又は位相を補正し、
前記整数ｍ及びｎは、以下の条件式を満たす値に設定される前記インバランス補正方法。
【数４】
2013090003.tif 000036
【発明の詳細な説明】
【技術分野】
【０００１】
本発明は、無線通信装置、イメージ成分分離方法及びインバランス補正方法に係り、特に、無線通信装置における直交変調器および直交復調器のＩＱインバランスによるイメージ成分を分離し、及び／又は、該ＩＱインバランスを補正する無線通信装置、イメージ成分分離方法及びインバランス補正方法に関する。
【背景技術】
【０００２】
近年の移動体通信においては、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、直交周波数分割多重）方式等の高度な変調方式が用いられ、より高い信号品質が求められている。現在主流の移動体通信では、ＯＦＤＭＡ方式を含む多くの変調方式においては、直交変調方式が用いられている。直交変調方式では、Ｉ成分とＱ成分の二つの信号に、位相が直交したローカル信号をそれぞれ乗算した後、Ｉ成分とＱ成分を加算する直交変調器により信号の変調が行われる。そして、受信信号に位相が直交したローカル信号を乗算し、Ｉ成分とＱ成分を抽出する直交復調器により信号の復調が行われる。
【０００３】
この直交変調器および直交復調器において、Ｉ成分とＱ成分の信号経路で利得および位相に誤差が存在すると、その出力においてイメージ成分が現れ、信号品質が劣化する。この課題は、直交変調方式を採用する移動体通信において宿命的な問題であり、現在までに様々な対策方法が考案されている。
【０００４】
この課題を解決する最も簡単な方法は、測定器等を用いて直交変調器および直交復調器の出力信号を測定し、イメージ成分が無くなるようにＩＱ間の利得及び位相の誤差を個別補正すればよい。ただし、装置を個別に調整する必要があるため、無線ＬＡＮルータやＦｅｍｔｏｃｅｌｌ等のような大量生産品においては非現実的である。また、個別調整を行う場合でも出荷時に補正しておく必要があり、経年劣化等による特性が変化で補正値がずれてしまった場合でも対応できない。
別の方法としては、装置に補正回路を実装することで、装置単体で補正する方法がある。測定器に検波回路等を実装し、測定結果を元に誤差の補正を行う。この方法は、検波系の実装が別途必要であり、実装面積やコストが課題になる。
【０００５】
そこで、送信系からの信号を受信系に折り返すことで、送受信系を検波回路として用いる方法が期待される。ただし、送信信号を折り返して受信回路に入力した場合、直交変調器と直交復調器の誤差が互いに打ち消してしまう可能性があり、送受信の誤差成分を独立して検出できる必要がある。また、Ｆｅｍｔｏｃｅｌｌ等の小型の装置においては送受信の誤差成分の検出・補正においても、処理負荷を小さくすることが必要になる。
【０００６】
上記のような送信信号を折り返し、受信系で誤差によって生じるイメージ成分を検出して補正する従来技術として、［特許文献１］がある。［特許文献１］では、図２に示すように送信系にＣＷ（ｃｏｎｔｉｎｕｏｕｓ  ｗａｖｅ、連続波）出力回路５１０１を有し、ここから試験信号を出力する。そして、ＣＷ信号を直交変調器５１０３にて直交復調した後、受信回路に送信信号を折り返すための３つのスイッチ（ＳＷ１、ＳＷ２、ＳＷ３）を利用して、受信系に入力する。その折り返し部には、送信信号の包絡線検波回路５２００とその包絡線をもって送信信号を振幅変調するための乗算器５２０１が実装されている。試験信号は、スイッチ（ＳＷ１とＳＷ２）により折り返し部に入力される。ＳＷ２により折り返し部に入力されたＣＷ信号は、包絡線検出回路５２００により包絡線が検出される。そして、ＳＷ１により折り返し部に入力された信号と包絡線検出回路５２００の出力を乗算することで振幅変調を行う。振幅変調された信号は、受信側の送信信号折り返し用スイッチ（ＳＷ３）を介して受信系へと入力され、直交復調器５１０５にて直交復調が行われる。その出力を信号処理回路５２０４で測定することで、所望波と、送信イメージ成分と、送信イメージ成分及び受信イメージ成分の重畳した成分とが独立して検出している。これにより、直交変調器５１０３と直交復調器５１０５の誤差がお互いに打ち消しあうことなく、それぞれの誤差を独立して補正する。
【０００７】
［特許文献２］では、直交復調器を補正する手段で、受信した信号をＦＦＴで解析し、直交変調器の誤差により生じるイメージ成分を測定して、補正係数を導出することで補正する。
［特許文献３］では、ＯＦＤＭ方式を採用する直交変調器を補正する手段で、ＯＦＤＭ信号をフィードバックし、サブキャリア信号まで復調し、マッピングデータと比較することで補正係数を算出し、直交変調器誤差の補正を実現する。
［特許文献４］では、ダイレクトコンバージョン方式の直交変調誤差に焦点を当てており、テスト信号を直交変調後に受信系へと折り返し、受信ローカル信号を送信ローカル信号より低い周波数に設定して直交復調することでＩＦ帯域に落とし、その信号をベースバンド部においてＦＦＴで測定して補正係数を導出する。ただし、この特許文献では、直交変調の補正のみに焦点が当てられており、直交復調の誤差については考慮されていない。
【先行技術文献】
【特許文献】
【０００８】
【特許文献１】特開２００９−４９７７１号公報
【特許文献２】特開２００８−１６７０５７号公報
【特許文献３】特開２００９−１１７８９７号公報
【特許文献４】特開２０１１−５５２７１号公報
【発明の概要】
【発明が解決しようとする課題】
【０００９】
従来の技術では、送信信号の折り返し部に包絡線検波部と振幅変調用の乗算器を実装する必要がある。このため、小型の装置においては、実装面積が問題となる。また、これらの回路を実装することでコストの面でも不利となる。このため、追加する回路を最小限にとどめ、既に実装している回路等をできる限り活用して、直交変調器と直交復調器の誤差をそれぞれ独立して補正できることが期待される。
【００１０】
本発明は、以上の点に鑑み、直交変調器および直交復調器を備える変復調器において、できるだけ最小限の機能の追加で直交変調時と直交復調時に発生するイメージ成分をそれぞれ独立に検出可能な変復調器及びイメージ成分分離方法を提供することを目的のひとつとする。また、本発明は、分離されたイメージ成分に基づき、直交変調器および直交復調器のＩＱインバランスを補正する変復調器及びインバランス補正方法を提供することを目的のひとつとする。
【課題を解決するための手段】
【００１１】
上記の課題を解決するために、本発明では、図１に示すような変復調器１００において、試験信号発生回路１０１を実装し、Ｉ成分とＱ成分が同振幅かつ９０度位相のずれた正弦波を出力する。ここで、試験信号、送信ローカル信号および受信ローカル信号の各周波数は、受信ベースバンド信号において試験信号、送信イメージ成分、受信イメージ成分および送信イメージ成分により発生する受信イメージ成分が異なる周波数成分となるように、試験信号の周波数と送受信ローカル信号の周波数差を設定する。そして、直交変調器１０３にて送信ローカル信号を用いて直交変調する。その後、直交変調器１０３の出力はＳＷ２とＳＷ３を用いて受信系に折り返し、直交復調器１０５に入力する。試験信号は、直交復調器１０５にて受信ローカル信号を用いて復調する。復調した信号には、所望波である試験信号と直交変調器１０３に存在する誤差により発生する送信イメージ成分と直交復調器１０５に存在する誤差成分により発生する受信イメージ成分が含まれる。この時、本発明の周波数設定により、各成分は、それぞれ独立した周波数で現れる。よって、復調した信号は、Ｎ点−ＦＦＴ回路１０８により解析し、各成分を独立して検出可能となる。その測定値を利用して補正係数導出部１０９で補正係数の調整し、送信ＩＱ補正回路１０２および受信ＩＱ補正回路１０７にて、送信および受信信号に利得補正係数および位相補正係数を乗算する。さらに、この補正係数の調整をＮ点−ＦＦＴ回路１０８の結果を確認しながら複数回繰り返すことで、各イメージ成分の抑制を実現する。
このように、本発明により、最小限の機能追加で直交変調器１０３と直交復調器１０５の誤差を装置単体で独立して補正可能となる。
【００１２】
本発明の第１の解決手段によると、
送信ベースバンド信号を変調して出力し、入力される受信信号を復調する無線通信装置において試験信号のイメージ成分を分離して検出する前記無線通信装置であって、
入力される試験信号及び送信ベースバンド信号を、送信ローカル信号を用いて変調し、変調信号を出力する直交変調器と
該変調信号及び受信信号を、送信ローカル信号を用いて復調し、復調信号を出力する直交復調器と
試験信号を出力する試験信号出力部と、
前記直交変調器に送信ローカル信号を出力する送信ローカル信号発生部と、
前記直交変調器に受信ローカル信号を出力する受信ローカル信号発生部と、
前記直交変調器からの変調信号を外部に出力するか、自装置内の前記直交復調器に入力するかを切り替える折り返し部と、
復調された試験信号の所定の周波数成分を検出する検出部と
を備え、
前記試験信号出力部から出力される試験信号の周波数が、自無線通信装置のサンプリング周波数Ｆｓに対してＦｓ／ｍ（ｍは整数）に設定され、
前記受信ローカル信号発生部から出力される受信ローカル信号の周波数が、前記送信ローカル信号発生部から出力される送信ローカル信号の周波数ωＬＯに対して、ωＬＯ−Ｆｓ／ｎ（ｎは整数）に設定され、
前記整数ｍ及びｎは、後述する式（２２）の条件式を満たす値に設定される前記無線通信装置が提供される。
このような構成によると、直交変調器および直交復調器を備える無線通信装置において、できるだけ最小限の機能の追加で直交変調時と直交復調時に発生するイメージ成分をそれぞれ独立に検出できる。
【００１３】
また、上述の無線通信装置において、
試験信号及び送信ベースバンド信号の利得及び／又は位相を補正する送信信号補正回路と、
前記直交復調器で復調された復調信号の利得及び／又は位相を補正する受信信号補正回路と
をさらに備え、
前記送信信号補正回路及び受信信号補正回路は、前記検出部で検出された試験信号の送信イメージ成分、及び、試験信号の受信イメージ成分に基づき、各イメージ成分が予め定められた閾値より小さくなるように信号の利得及び／又は位相を補正する。
このような構成によると、分離されたイメージ成分に基づき、直交変調器および直交復調器のＩＱインバランスを補正することができる。
【００１４】
本発明の第２の解決手段によると、
送信ベースバンド信号を直交変調器で変調して出力し、入力される受信信号を直交復調器で復調する装置において、信号経路のＩＱインバランスによる試験信号のイメージ成分を分離して検出するイメージ成分分離方法であって、
試験信号の周波数が、装置のサンプリング周波数Ｆｓに対してＦｓ／ｍ（ｍは整数）に設定され、
復調のための受信ローカル信号の周波数が、変調のための送信ローカル信号の周波数ωＬＯに対して、ωＬＯ−Ｆｓ／ｎ（ｎは整数）に設定され、
直交変調器が、試験信号を、送信ローカル信号を用いて変調して変調信号を出力し、
該変調信号を直交復調器に入力し、
直交復調器が、入力される変調信号を、送信ローカル信号を用いて復調して復調信号を出力し、
復調信号の所定の周波数成分を検出することで、試験信号の送信イメージ成分、及び、試験信号の受信イメージ成分を検出し、
前記整数ｍ及びｎは、後述する式（２２）の条件式を満たす値に設定される前記イメージ成分分離方法が提供される。
このような構成によると、直交変調器および直交復調器を備える無線通信装置において、できるだけ最小限の機能の追加で直交変調時と直交復調時に発生するイメージ成分をそれぞれ独立に検出できる。
【００１５】
本発明の第３の解決手段によると、
送信ベースバンド信号を直交変調器で変調して出力し、入力される受信信号を直交復調器で復調する装置において、信号経路のＩＱインバランスによる試験信号のイメージ成分を分離して検出し、該ＩＱインバランスを補正するインバランス補正方法であって、
試験信号の周波数が、装置のサンプリング周波数Ｆｓに対してＦｓ／ｍ（ｍは整数）に設定され、
復調のための受信ローカル信号の周波数が、変調のための送信ローカル信号の周波数ωＬＯに対して、ωＬＯ−Ｆｓ／ｎ（ｎは整数）に設定され、
直交変調器が、試験信号を、送信ローカル信号を用いて変調して変調信号を出力し、
該変調信号を直交復調器に入力し、
直交復調器が、入力される変調信号を、送信ローカル信号を用いて復調して復調信号を出力し、
復調信号の所定の周波数成分を検出することで、試験信号の送信イメージ成分、及び、試験信号の受信イメージ成分を検出し、
検出された試験信号の送信イメージ成分、及び、試験信号による受信イメージ成分に基づき、各イメージ成分が予め定められた閾値より小さくなるように、直交変調器に入力される信号及び直交復調器から出力される信号の利得及び／又は位相を補正し、
前記整数ｍ及びｎは、後述する式（２２）の条件式を満たす値に設定される前記インバランス補正方法が提供される。
このような構成によると、分離されたイメージ成分に基づき、直交変調器および直交復調器のＩＱインバランスを補正することができる。
【発明の効果】
【００１６】
本発明によると、直交変調器および直交復調器を備える変復調器において、できるだけ最小限の機能の追加で直交変調時と直交復調時に発生するイメージ成分をそれぞれ独立に検出可能な変復調器及びイメージ成分分離方法を提供することができる。また、本発明は、分離されたイメージ成分に基づき、直交変調器および直交復調器のＩＱインバランスを補正する変復調器及びインバランス補正方法を提供することができる。
【図面の簡単な説明】
【００１７】
【図１】変復調装置の概略構成図である。
【図２】関連技術の概略構成例である。
【図３】第一の実施例における変復調器の装置構成図である。
【図４】第二の実施例における変復調器の装置構成図である。
【図５】本実施例における直交変調器の出力スペクトルである。
【図６】本実施例における受信ベースバンド信号である。
【図７】第一の実施例におけるＩＱインバランス補正方法のフローである。
【図８】第一の実施例における位相補正係数および利得補正係数導出の詳細な動作を示すフローである。
【図９】第二の実施例における直交変調器出力の送信ローカルリークスペクトルである。
【図１０】第二の実施例における受信ベースバンドでの送受信ローカルリークのスペクトルである。
【図１１】第二の実施例における送受信ローカルリークと第一の実施例における送受信イメージ成分が混在する場合の受信ベースバンドでのスペクトルである。
【図１２】第二の実施例におけるオフセット電圧調整方法のフローである。
【図１３】第二の実施例における送受信のＩ側およびＱ側オフセット電圧調整の詳細な動作を示すフローである。
【発明を実施するための形態】
【実施例１】
【００１８】
図１および図３は、実施例１の変復調器（無線通信装置）１００の回路構成の例である。図１は、本実施例の変復調器１００の構成例であり、図３は図１のより詳細な構成を示している。
この変復調器１００は、例えば、送信ベースバンド信号を生成する送信信号生成部１１０と、その信号を直交変調し、送信信号を生成する直交変調器１０３と、直交変調器１０３に送信ローカル信号を供給する送信ローカル信号源（発生器）１０４と、受信した変調信号をベースバンド信号に復調する直交復調器１０５と、直交復調器１０５に受信ローカル信号を供給する受信ローカル信号源（発生器）１０６と、復調された信号を処理する受信信号処理部１１１を備える。また、直交変復調に使用する送信ローカル信号発生器１０４および受信ローカル信号発生器１０６は、発生する信号の周波数設定が可能である。変復調器１００はさらに、例えば、本実施例のＩＱインバランス同時補正を実現するための構成として、試験信号を生成する試験信号出力回路１０１と、導出した補正係数を送信ＩＱ信号に乗算するための送信ＩＱ補正回路（送信信号補正回路）１０２と、導出した補正係数を受信ＩＱ信号に乗算するための受信ＩＱ補正回路（受信信号補正回路）１０７と、受信信号を解析するＮ点（Ｎは整数）−ＦＦＴ回路（検出部）１０８と、その解析結果から補正に必要な係数を導出する補正係数導出部１０９を備える。また、送信信号生成部１１０からの信号と試験信号とを切り替えるためのＳＷ（スイッチ）１と、直交変調器１０３の出力を受信系に折り返すためのＳＷ２およびＳＷ３（折り返し部）をさらに備える。ＳＷ２及びＳＷ３は、ＳＷ１に連動し、ＳＷ１により試験信号を直交変調器１０３に入力する場合には、直交変調器１０３の出力を直交変調器１０５へ折り返すように切り替え、ＳＷ１により送信ベースバンドを直交変調器１０３に入力する場合には、直交変調器１０３の出力を例えばアンテナを介して装置外部へ出力するように切り替える。
直交変調器１０３の入力側には、図３に示すように送信Ｉ側ＬＰＦ（ローパスフィルタ）３０２および送信Ｑ側ＬＰＦ３０３が実装される。同様に、直交復調器１０５の出力側には、受信Ｉ側ＬＰＦ３０４および受信Ｑ側ＬＰＦ３０５が実装される。
【００１９】
また、送信ＩＱ補正回路１０２は、補正係数を保持する送信側ＩＱ補正係数部３０１と、利得補正部と、位相補正部とを有する。利得補正部は、Ｉ側およびＱ側の送信利得補正係数を信号に乗算する送信Ｉ側利得補正係数乗算器３０７および送信Ｑ側利得補正係数乗算器３０８とを有する。位相補正部は、Ｉ側の信号を分岐した信号に、送信位相補正係数を乗算する送信位相補正係数乗算器３０９と、位相補正係数を乗算したＩ側信号をＱ側に加算することで位相の補正を行う送信位相補正加算器３１０を有する。同様に、受信ＩＱ補正回路１０７は、補正係数を保持する受信側ＩＱ補正係数部３０６と、Ｉ側およびＱ側の受信利得補正係数を信号に乗算する受信Ｉ側補利得正係数乗算器３１１および受信Ｑ側利得補正係数乗算器３１２（利得補正部）と、Ｉ側の信号を分岐した信号に受信位相補正係数を乗算して位相補正を行う受信位相補正係数乗算器３１３と受信位相加算器３１４（位相補正部）を有する。
なお、位相補正において、Ｉ側信号をＱ側信号に加算する以外にも、逆でもよい。
【００２０】
また、図３の構成では、送信信号生成部１１０と、受信信号処理１１１と、Ｎ点−ＦＦＴ回路１０８および補正係数導出部１０９の各機能をＤＳＰ３００内部の回路として実装している。ただし、Ｎ点−ＦＦＴ回路１０８および補正係数導出部１０９は、ＦＰＧＡ等にハードウェア回路として実装しても良い。
【００２１】
次に、本実施例の動作を説明する。まず、試験信号出力回路１０１からＩ成分およびＱ成分が同振幅で９０度位相のずれた正弦波が出力される。この試験信号は、ＳＷ１を介して送信ＩＱ補正回路１０２で信号が補正された後、送信Ｉ側ＬＰＦ３０２および送信Ｑ側ＬＰＦ３０３を通過させることにより所定の周波数以上の高調波成分が除去される。そして、試験信号は、直交変調器１０３で送信ローカル信号源１０４から所望の周波数に設定された送信ローカル信号を用いて直交変調される。その出力は、ＳＷ２とＳＷ３により受信系へと折り返され、直交復調器１０５へと入力される。試験信号は、直交復調器１０５で受信ローカル信号源１０６から送信ローカル信号の周波数とある条件を満たすようにずらした周波数に設定された受信ローカル信号を用いて直交復調される。復調された試験信号は、受信Ｉ側ＬＰＦ３０４および受信Ｑ側ＬＰＦ３０５を通過させることにより所定の周波数以上の高調波成分は除去される。その後、受信ＩＱ補正回路にて、補正が行われ、Ｎ点−ＦＦＴ回路１０８にて解析が行われる。この解析されたデータは、補数係数導出部１０９に送られる。補正係数導出部１０９では、Ｎ点−ＦＦＴ回路１０８の解析結果を確認しながら、直交変調器１０３および直交復調器１０５にて発生したイメージ成分が最小（又は予め定められた閾値以下）になるように送信および受信の利得補正係数と位相補正係数を調整してゆき、イメージ成分の補正を行う。
【００２２】
ここで、直交変調および直交復調において誤差が存在することによりイメージ成分が発生する原理について説明する。まず、誤差が存在しない理想的な条件を考える。
試験信号発生器１０１から出力するＩ成分とＱ成分が同振幅かつ９０度位相のずれた正弦波である試験信号を次の通りとする。
【数１】
2013090003.tif 000003
ここで、ＡはＣＷ信号（連続波信号）の振幅、ω０はＣＷ信号の周波数を表している。なお、数式上ω（ω０、ωｃ等を含む）は角周波数を表すが、本明細書においては周波数と記す。
【００２３】
上記の信号は、直交変調器１０３のＩ、Ｑ入力端子に加えられる。そして、直交変調器１０３のローカル信号を次の通りとする。
【数２】
2013090003.tif 000004
ここで、ωＣは直交変調器１０３におけるローカル信号の周波数を表している。
【００２４】
直交変調器１０３では、入力した試験信号にローカル信号を乗算した後、ＩＱ成分が加算されて出力される。理想的な直交変調器１０３の出力には、以下のように周波数ω０＋ωＣの成分のみが現れる。
【数３】
2013090003.tif 000005
【００２５】
同様に、直交復調器１０５について考える。まず、受信系に入力する信号を次式で表わす。
【数４】
2013090003.tif 000006
ここで、Ａは受信信号の振幅、ωは受信信号の周波数を表している。
【００２６】
直交復調器１０５におけるローカル信号を次の通りとする。
【数５】
2013090003.tif 000007
ここで、ω’Ｃは直交復調器１０５におけるローカル信号の周波数を表わしており、送信ローカル信号とは異なる周波数である。
【００２７】
よって、直交復調器１０５のＩ側出力信号とＱ側出力信号は次の様に書ける。
【数６】
2013090003.tif 000008
図３のように直交復調器１０５の出力段に受信Ｉ側ＬＰＦ３０５および受信Ｑ側ＬＰＦ３０６が実装されており、高周波数成分を除去されるため、最終的な受信信号は次のようになる。
【数７】
2013090003.tif 000009
【００２８】
これを一つにまとめると次のように書ける。
【数８】
2013090003.tif 000010
実際の直交変調器１０３および直交復調器１０５には、アナログ回路の不完全性等からＩおよびＱの信号経路間に利得誤差および位相誤差が存在する。そこで、このような誤差を考慮した場合を考える。
【００２９】
まず、直交変調器１０３の場合について考える。試験信号の直交変調を行う際に誤差が含まれる場合、直交変調器１０３への入力される試験信号は次の様になる。
【数９】
2013090003.tif 000011
ただし、ＧＴＩ、ＧＴＱは直交変調過程におけるＩＱそれぞれの利得誤差、θはＩＱ間の相対的な位相誤差を表している。
【００３０】
この試験信号を直交変調すると、直交変調器１０３の出力は次のようになり、周波数ωＣ＋ω０に加えて、周波数ωＣ−ω０の送信イメージ成分が発生する。
【数１０】
2013090003.tif 000012
次に、直交復調器１０５についても同様に考える。まず、受信信号を理想的な場合と同様に次式で表わす信号とする。
【数１１】
2013090003.tif 000013
【００３１】
この信号が、直交復調器１０５のアナログ部分の誤差により、ＩＱ成分は次のようになる。
【数１２】
2013090003.tif 000014
ただし、ＧＲＩ、ＧＲＱは直交復調過程におけるＩＱそれぞれの利得誤差、φはＩＱ間の相対的な位相誤差を表している。
【００３２】
この受信信号を直交復調すると、次のようになる。
【数１３】
2013090003.tif 000015
そして、受信Ｉ側ＬＰＦ３０５および受信Ｑ側ＬＰＦ３０６の出力は次のようになる。
【数１４】
2013090003.tif 000016
【００３３】
この信号は、次のように変形でき、ω−ω’Ｃの周波数成分以外に−（ω−ω’Ｃ）の周波数をもつ受信イメージ成分が発生する。
【数１５】
2013090003.tif 000017
【００３４】
以上のように、直交変調および直交復調時にＩＱ間の経路において誤差が存在すると出力側にイメージ信号が現れてしまう。さらに、送信信号（ここでは試験信号）を折り返して受信系に入力した場合、送信信号以外に、送信イメージ成分に対しても直交復調器１０５の誤差によるイメージ成分が発生し、受信ベースバンド信号として現れることになる。その結果、受信ベースバンドにおける信号および各イメージ成分の周波数は、それぞれ次のようになる。
【数１６】
2013090003.tif 000018
ここで、本実施例では、試験信号、送信ローカル信号および受信ローカル信号を次で示す周波数とする。
【数１７】
2013090003.tif 000019
【００３５】
ただし、ωＬＯは予め定められた値を用いることができる。Ｆｓは装置（例えば無線通信装置）における信号のサンプリング周波数である。ｍは装置における信号のサンプリング周波数の関係から試験信号が±Ｆｓ／２の周波数範囲に収まる必要があるため、次の条件を満たす必要がある。
【数１８】
2013090003.tif 000020
【００３６】
このとき、式（１６）（上述の［数１６］で表す式を示す。以下同様）は次のように変形できる。
【数１９】
2013090003.tif 000021
ただし、こちらも装置における信号サンプリング周波数の関係でｍおよびｎは次の条件を満たす必要がある。
【数２０】
2013090003.tif 000022
【００３７】
本実施例の直交変調器１０３および直交復調器１０５それぞれの誤差を装置単体で実現するためには、試験信号の受信系への折り返しで、式（１９）中に示す（１）−（４）の周波数が互いに重複しない事が求められる。まず、直交復調器１０５で発生するイメージ成分と対となる入力信号は、周波数的に重ならないので、（１）と（２）、（３）と（４）の周波数が重ならないのは自明である。よって、（１）と（３）、（１）と（４）、（２）と（３）、（２）と（４）の周波数が重ならない条件（各信号を周波数軸上で分離する条件）の通りである。
【数２１】
2013090003.tif 000023
【００３８】
以上のことから、次の条件を満たすように、試験信号および送受信のローカル信号の周波数を設定することで、受信ベースバンド信号において、試験信号と各イメージ成分が分離され、Ｎ点−ＦＦＴにより独立して検出可能となる。
【数２２】
2013090003.tif 000024
【００３９】
ここで、周波数設定の例として次の場合を考える。すなわち式（１７）において、ｍ＝４、ｎ＝８の場合であり、これは式（２２）に示す条件を満たす。
【数２３】
2013090003.tif 000025
【００４０】
このとき、直交変調器１０３および受信ベースバンドにおける試験信号および各イメージ成分の周波数は次のようになる。
【数２４】
2013090003.tif 000026
【００４１】
図５および図６に、直交変調器出力および受信ベースバンドにおける信号スペクトルを示す。この設定の場合、各成分がＦｓ／８の整数倍の周波数となる。このため、８点のＦＦＴ回路１０８で試験信号および各イメージ成分を独立して検出可能となる。なお、８点−ＦＦＴ以外にも、各成分（少なくとも送信イメージ成分と受信イメージ成分）を検出可能なＦＦＴ（例えば、１６点−ＦＦＴ）でもよい。
【００４２】
図７に、補正係数導出部１０９における補正係数調整フローの例を示す。Ｎ点−ＦＦＴ回路１０８で検出される送信イメージ成分および受信イメージ成分の測定値を監視し、その値を抑制する（小さくなる）ように直交変調器１０３および直交復調器１０５の利得および位相誤差を補正する係数を調整する。なお、送信側、受信側での処理は同様のため、以下では上述の送信利得補正係数、受信利得補正係数を単に利得補正係数と記し、送信位相補正係数、受信位相補正係数を単に位相補正係数と記す。
【００４３】
調整は、初めに送受信イメージ成分の測定を行い（Ｓ１０１）、送信または受信イメージ成分が予め設定された閾値以下であれば、送信側または受信側の調整は行わなくてもよい（Ｓ１０３、Ｓ１０９）。送信側と受信側では、例えば、まず受信イメージ成分６００を測定しながら受信ＩＱ補正回路１０２の補正係数を調整し（Ｓ１０５、Ｓ１０７）、続いて送信イメージ成分５０１を測定しながら送信ＩＱ補正回路１０７の補正係数を調整する（Ｓ１１１、Ｓ１１３）。各補正回路での位相と利得の調整は、例えば、まず位相補正係数の調整を行い、続いて利得補正係数の調整を行う。なお、調整の順序はこれ以外の順序でもよい。送受信の補正終了後、各イメージ成分を測定し、閾値以下なら調整を終了する（Ｓ１１５、ＹＥＳ）。もし、閾値以下とならない場合は（Ｓ１１５、ＮＯ）、第１カウンタを更新し、閾値以下になるまで調整を繰り返す（Ｓ１１７、Ｓ１１９）。なお、第１カウンタは、例えば、処理開始時に初期設定され（例えば０に設定され）、カウントアップされてもよい（Ｓ１１９）。ただし、装置の故障等により閾値以下にならない場合もあるため、第１カウンタがあらかじめ設定された規定回数になると、調整を終了する（Ｓ１１７、ＮＯ）。
【００４４】
図８に位相補正係数および利得補正係数の詳細な調整フローを示す。どちらの調整も、補正係数を少しずつ変化させて行き、各イメージ成分を測定しながらその値が最小（又は予め定められた閾値以下）となるように調整する。
【００４５】
具体的な調整方法としては、補正係数をあらかじめ設定した変化量の１ｓｔｅｐ分だけ正または負の方向に変化させる（Ｓ２０１）。そして、イメージ成分の測定を行い（Ｓ２０３）、イメージ成分が減少していたら同一方向に補正係数を変化させていく（Ｓ２０１〜Ｓ２０５）。もし、増加した場合は（Ｓ２０５、Ｎｏ）、ｓｔｅｐの幅を縮小し正負逆方向に１ｓｔｅｐ変化させる（Ｓ２０７、Ｓ２０９）。このｓｔｅｐ方向の反転が、適切な回数になるまで調整を繰り返し（Ｓ２１１、Ｓ２１３）、最終的にイメージ成分が増加したひとつ前の状態に戻して（Ｓ２１５）、各補正係数の調整を終了する。ただし、利得補正係数の調整に関しては、Ｉ側またはＱ側のどちらかの補正係数のみを調整し、もう片方の係数は固定しておく（Ｓ３０１）。ステップＳ３０３〜Ｓ３１７は上述のＳ２０１〜Ｓ２１５と同様である。一方の係数のみを調整することでイメージ成分が小さくなれば他方の調整はしなくてもよい。利得のインバランスが調整されてイメージ成分が小さくなればよい。また、一方の係数のみを調整してもイメージ成分が予め定められた閾値より小さくならなければ、他方の係数をさらに調整してもよい。
【００４６】
補正係数導出部１０９で導出した各補正係数は、送信ＩＱ補正回路１０２と受信ＩＱ補正回路１０７に送られ、送信側ＩＱ補正係数部３０１および受信側ＩＱ補正係数部３０８に値が保持される。そして、送信側では、送信Ｉ側利得補正係数乗算器３０７及び／又は送信Ｑ側利得補正係数乗算器３０８によって、それぞれ送信のＩ成分及び／又はＱ成分に各利得補正係数が乗算されることで直交変調器１０３の利得誤差が補正される。さらに、Ｉ成分に送信位相補正係数乗算器３０９によって位相補正係数が乗算された後、Ｑ成分に送信位相補正加算器３１０によって加算することによって位相誤差の補正を行う。ただし、位相補正の処理は、Ｑ成分に位相補正係数を乗算し、Ｉ側に加算するようにしても良い。受信側も同様に、受信Ｉ側利得補正係数乗算器３１１と受信Ｑ側利得補正係数乗算器３１２により直交復調器１０５の利得誤差を補正し、受信位相補正係数乗算器３１３と受信位相補正加算器３１４によって位相誤差を補正する。
【００４７】
以上の工程により、装置単体での直交変調器１０３および直交復調器１０５の誤差の独立した検出・補正を実現する。
従来の技術では、装置の送受信系を利用して直交変調器と直交復調器の誤差を独立して調整可能にするために、送信信号の折り返し部に包絡線検出回路と振幅変調用の乗算器を実装する必要がある。このため、実装面積や部品コスト面が問題となる。
【００４８】
一方、本実施の形態では、ローカル信号の調整とデジタル信号処理で行うため、アナログ段で部品を追加実装することなく、ＤＳＰによる処理と試験信号および送受信ローカル信号の周波数設定のみで送受信の利得誤差および位相誤差を個別調整が可能となるため、アナログ段での追加部品の実装が不要になりコストと実装面積の削減が可能となる。本実施の形態で必要な機能は、例えば、デジタル回路にてＩ成分とＱ成分が同振幅かつ９０度位相のずれた正弦波である試験信号を生成・出力可能であり、直交変調器と直交復調器で送受信ローカル信号周波数を設定可能なローカル信号源があればよい。また、試験信号と各イメージ成分は独立した周波数成分として現れるため、Ｎ点−ＦＦＴで各成分を検出可能となる。さらに、適切な周波数の組み合わせを設定することで、検出に必要なＦＦＴのポイント数が削減でき、演算の負荷を低減できる。これにより、装置の送受信系を利用した装置単体でのＩＱインバランスの補正を最小限の機能追加で実現できる。
【実施例２】
【００４９】
第２の実施例における変復調器（無線通信装置）１００の構成について図４を参照して説明する。これは、図３の構成（実施例１の構成）にＩＱオフセット調整機能であるオフセット電圧調整回路４０２、受信側オフセット調整回路４０１、送信側オフセット調整回路４００を追加したものである。送信側オフセット調整回路４００及び受信側オフセット調整回路４０１はそれぞれ、直交変調器１０３の前段、直交復調器１０５の後段に配置される調整部でもよいし、直交変調器１０３および直交復調器１０５に含まれてもよい。直交変調器１０３および直交復調器１０５において、直流成分が存在するとローカル信号が出力側に漏れだすローカルリークが発生する。図９に実施例１の数２３に示す周波数設定を用い、ＩＱオフセットが存在する場合の直交変調器出力（直交変調器１０３への信号入力なし時）を示す。また、図１０にそれを受信系に折り返した場合の直交復調器１０５の出力スペクトルを示す。この成分は信号帯域内に発生するためフィルタによる除去が困難であり、信号品質の劣化につながる。また、実施例１で示した周波数設定の例では、受信ベースバンドにおいて、図１１に示すように送信ローカルリークにより発生する受信イメージ成分１００が送信イメージ成分５０１と同じ周波数となり、重畳してしまう。このため、送信ローカルリークの影響により、直交変調器１０５の精密な誤差補正ができなくなる恐れがある。
【００５０】
そこで、本実施例では、オフセット電圧調整回路４０２を追加で実装する。実施例１のイメージ成分検出系を利用してローカルリークを測定し、オフセット電圧調整回路４０２がＩＱオフセット電圧を調整することでローカルリークを低減し、信号品質の向上をさせる。
【００５１】
ここで、ローカルリーク発生の原理を説明する。説明では、簡単化のために直交変調器１０３および直交復調器１０５の信号経路に利得及び位相の誤差が存在しないものとする。まず、直交変調器１０３の入力にＩＱオフセットが存在すると、直交変調器入力は次のように書ける。
【数２５】
2013090003.tif 000027
【００５２】
ここで、ａ、ｂはそれぞれ直交変調器のＩ側およびＱ側入力に存在するオフセット電圧である。よって、式（２）の送信ローカル信号で直交変調すると直交変調器出力は、次のように書ける。
【数２６】
2013090003.tif 000028
このように、オフセット電圧が存在すると、その大きさに応じた送信ローカル信号が出力される。
【００５３】
次に、この信号を受信系に折り返し、直交復調器１０５に入力し復調する。ただし、復調に用いる受信ローカル信号は、式（５）と同じものを用いる。すると、受信ベースバンドでは、式（２７）で示す式が得られる。
【数２７】
2013090003.tif 000029
ここで、ｃおよびｄは直交復調器１０５に存在するオフセット電圧により出力される受信ローカルリーク１００１のＩ成分およびＱ成分である。また、実際の回路では、直交復調器１０５の誤差により、受信イメージ成分が含まれる。
【００５４】
この信号は、直交復調器１０５の出力側に実装されている受信Ｉ側ＬＰＦ３０４および受信Ｑ側ＬＰＦ３０５により高周波成分が除去され、次のようになる。
【数２８】
2013090003.tif 000030
【００５５】
さらに、これを一つの式にまとめると、
【数２９】
2013090003.tif 000031
となり、送受信ローカル信号周波数差分の周波数に送信ローカルリーク成分が存在し、直流成分として受信ローカルリーク成分が存在することが分かる。ただし、実施例１の式（１１）−（１５）で示したように、直交復調器１０５の誤差により送信ローカルリーク９００の受信イメージ成分が受信ローカル信号に対して逆側に現れる。よって、実施例１の式（２３）で示した周波数設定例を代入すると、受信ベースバンドにおける各成分の周波数は次のようになる。
【数３０】
2013090003.tif 000032
これは、実施例１とおなじＮ点−ＦＦＴ回路１０８によりそれぞれ独立して検出可能である。なお、実施例１の式（１７）のように周波数設定した場合、送信ローカルリークは送受信ローカル信号周波数差分（Ｆｓ／ｎ）の周波数に表れ、受信ローカルリークは直流成分に表れる。
【００５６】
調整の手順は、直交変調器１０３へ信号の入力が無い状態とし、送信側のＩＱオフセットにより漏れ出した送信ローカル信号をＳＷ２およびＳＷ３で受信系に折り返し、直交復調器１０５に入力する。直交復調器１０５では、受信ローカル信号を用いて送信ローカルリーク９００を復調する。本実施例では、実施例１と同様に送受信のローカル信号周波数に差分を設けることで、受信ベースバンドにおいて送信ローカルリーク９００と受信ローカルリーク１００１を独立した周波数となるようにする。復調した後の受信ベースバンド信号には、送信ローカル信号９００とその受信イメージ成分１０００、そして直流成分として受信ローカルリーク１００１がそれぞれ異なる周波数成分として現れる。この受信ベースバンド信号を、実施例１と同様にＮ点−ＦＦＴ回路１０８で解析を行う。その測定結果をオフセット電圧調整回路４０２に送り、オフセット電圧の調整を行う。
【００５７】
オフセット電圧の調整は、実施例１のＩＱインバランスの補正と同様にＦＦＴの測定結果を確認しながら、オフセット電圧をローカルリークが最小（又は予め定められた閾値以下）になるように調整する。調整の順序は、送信と受信はどちらが先でも良く、それぞれＩ側またはＱ側のどちらかを先に調整し、その後にもう片側を調整する。
【００５８】
図１２にオフセット電圧調整のフロー、図１３に各調整値の詳細な導出フローを示す。ただし、調整値の導出は、図１３のような徐々に追いこんでいく方法ではなく、ＦＦＴの測定結果から、各ローカルリーク成分のＩ成分およびＱ成分の値が分かるため、その測定値を打ち消すような値を直接設定しても良い。
【００５９】
オフセット電圧の調整は、初めにローカルリークの測定を行い（Ｓ４０１）、受信ローカルリークが予め設定された閾値以下であれば、直交復調器１０５の調整は行わなくてもよい（Ｓ４０３）。また、送信ローカルリークが予め設定された閾値以下であれば、直交変調器１０３の調整は行わなくてもよい（Ｓ４０９）。復調器側では、例えば、まず受信ローカルリークを測定しながら直交復調器１０５のＩ側及びＱ側オフセットを調整し（Ｓ４０５、Ｓ４０７）、続いて送信ローカルリークを測定しながら直交変調器１０３のＩ側及びＱ側オフセットを調整する（Ｓ４１１、Ｓ４１３）。調整後、送信及び受信ローカルリークを測定し、閾値以下なら調整を終了する（Ｓ４１５、ＹＥＳ）。もし、閾値以下とならない場合は（Ｓ４１５、ＮＯ）、第１カウンタを更新し、閾値以下になるまで調整を繰り返す（Ｓ４１７、Ｓ４１９）。なお、第１カウンタは、例えば、処理開始時に初期設定され（例えば０に設定され）、カウントアップされてもよい（Ｓ４１９）。ただし、装置の故障等により閾値以下にならない場合もあるため、第１カウンタがあらかじめ設定された規定回数になると、調整を終了する（Ｓ４１７、ＮＯ）。
【００６０】
オフセット電圧の具体的な調整方法としては、オフセット電圧をあらかじめ設定した変化量の１ｓｔｅｐ分だけ正または負の方向に変化させる（Ｓ５０１）。そして、ローカルリークの測定を行い（Ｓ５０３）、ローカルリークが減少していたら同一方向にオフセット電圧を変化させていく（Ｓ５０１〜Ｓ５０５）。もし、増加した場合は（Ｓ５０５、Ｎｏ）、ｓｔｅｐの幅を縮小し正負逆方向に１ｓｔｅｐ変化させる（Ｓ５０７、Ｓ５０９）。このｓｔｅｐ方向の反転が、適切な回数になるまで調整を繰り返し（Ｓ５１１、Ｓ５１３）、最終的にローカルリークが増加したひとつ前の状態に戻して（Ｓ５１５）、調整を終了する。
【００６１】
以上の工程により、直交変調器１０３および直交復調器１０５のオフセット電圧の調整を実施例１の構成にオフセット電圧調整回路４０２、受信側オフセット調整回路４０１、送信側オフセット調整回路４００を追加するだけで実現でき、ローカルリークの低減が可能となる。
【産業上の利用可能性】
【００６２】
本発明は、例えば、直交変調器および直交復調器を備える変復調器、その変復調器を含む無線通信装置等に利用可能である。
【符号の説明】
【００６３】
１００  無線通信装置
１０１  試験信号出力回路
１０２  送信ＩＱ補正回路
１０３  直交変調器
１０４  送信ローカル信号源
１０５  直交復調器
１０６  受信ローカル信号源
１０７  受信ＩＱ補正回路
１０８  Ｎ点−ＦＦＴ回路
１０９  補正係数導出部
１１０  送信信号生成部
１１１  受信信号生成部
２００  包絡線検出回路
２０１  振幅変調用の乗算器
３００  ＤＳＰ
３０１  送信側ＩＱ補正係数部
３０２  送信Ｉ側ＬＰＦ
３０３  送信Ｑ側ＬＰＦ
３０４  受信Ｉ側ＬＰＦ
３０５  受信Ｑ側ＬＰＦ
３０６  受信側ＩＱ補正係数部
３０７  送信Ｉ側利得補正係数乗算器
３０８  送信Ｑ側利得補正係数乗算器
３０９  送信位相補正係数乗算器
３１０  送信位相補正加算器
３１１  受信Ｉ側利得補正係数乗算器
３１２  受信Ｑ側利得補正係数乗算器
３１３  受信位相補正係数乗算器
３１４  受信位相補正加算器
４００  送信側オフセット調整回路
４０１  受信側オフセット調整回路
４０２  オフセット電圧調整回路
５００  試験信号
５０１  送信イメージ成分
６００  受信イメージ成分
６０１  送信イメージ成分により発生する受信イメージ成分
９００  送信ローカルリーク
１０００  送信ローカルリークの受信イメージ成分
１００１  受信ローカルリーク
【図１】
2013090003.tif 000037
【図２】
2013090003.tif 000038
【図３】
2013090003.tif 000039
【図４】
2013090003.tif 000040
【図５】
2013090003.tif 000041
【図６】
2013090003.tif 000042
【図７】
2013090003.tif 000043
【図８】
2013090003.tif 000044
【図９】
2013090003.tif 000045
【図１０】
2013090003.tif 000046
【図１１】
2013090003.tif 000047
【図１２】
2013090003.tif 000048
【図１３】
2013090003.tif 000049